(57)【特許請求の範囲】
【請求項１】
基地局が、前記基地局がサブフレーム中に特殊目的のために予約されるリソースの構成をサポートするユーザ機器（ＵＥ）の能力に関する確実性を欠くあいまいさ期間を判断することと、
前記基地局が、前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することと
を備える、ワイヤレス通信方法。
【請求項２】
前記除外することが、特殊目的のために予約されるリソースの前記構成をシグナリングした後に実行される。請求項１に記載の方法。
【請求項３】
前記あいまいさ期間は、前記基地局が、前記ＵＥがサポートする規格のリリースバージョンに関する情報を欠く期間を備える、請求項１に記載の方法。
【請求項４】
前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、請求項３に記載の方法。
【請求項５】
前記構成が、チャネルフィードバックについての測定を行うために使用される基準信号のために予約されるリソース要素を識別する、請求項１に記載の方法。
【請求項６】
前記構成が、ＰＤＳＣＨミューティング演算のために予約されるリソース要素を識別する、請求項１に記載の方法。
【請求項７】
前記基地局が、レートマッチングを実行するときに前記リソース要素を除外するにもかかわらずＰＤＳＣＨミューティング演算のために予約される前記リソース要素上でミューティングを実行すること
をさらに備える、請求項６に記載の方法。
【請求項８】
前記あいまいさ期間が、特殊目的のために使用されるべき前記サブフレームのリソースの再構成に続く、請求項１に記載の方法。
【請求項９】
前記除外することは、前記あいまいさ期間中に１つまたは複数の条件が満たされた場合のみ除外することを備える、請求項８に記載の方法。
【請求項１０】
前記１つまたは複数の条件が満たされたかどうかは、前記ＰＤＳＣＨをスケジュールするために使用されるダウンリンク制御情報（ＤＣＩ）のフォーマットに依存する、請求項９に記載の方法。
【請求項１１】
前記１つまたは複数の条件が満たされたかどうかは、前記ＰＤＳＣＨをスケジュールするためにＤＣＩフォーマット１Ａが使用されるか否かに依存する、請求項１０に記載の方法。
【請求項１２】
前記１つまたは複数の条件が満たされたかどうかは、前記ＰＤＳＣＨが共通探索空間中で送られるか、ＵＥ固有探索空間中で送られるかに依存する、請求項１１に記載の方法。
【請求項１３】
前記１つまたは複数の条件が満たされたかどうかは、前記ＰＤＳＣＨがＵＥ固有探索空間と重複する共通探索空間中で送られるかどうかに依存する、請求項１１に記載の方法。
【請求項１４】
ユーザ機器（ＵＥ）が、基地局がサブフレーム中に特殊目的のために予約されるリソースの構成をサポートする前記ＵＥの能力に関する確実性を欠くあいまいさ期間を判断することと、
前記ＵＥが、前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することと
を備える、ワイヤレス通信方法。
【請求項１５】
前記あいまいさ期間は、前記基地局が、前記ＵＥがサポートする規格のリリースバージョンに関する情報を欠く期間を備える、請求項１４に記載の方法。
【請求項１６】
前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、請求項１５に記載の方法。
【請求項１７】
前記構成が、チャネルフィードバックについての測定を行うために使用される基準信号のために予約されるリソース要素を識別する、請求項１４に記載の方法。
【請求項１８】
前記構成が、ＰＤＳＣＨミューティング演算のために予約されるリソース要素を識別する、請求項１４に記載の方法。
【請求項１９】
前記あいまいさ期間が、特殊目的のために使用されるべき前記サブフレームのリソースの再構成に続く、請求項１４に記載の方法。
【請求項２０】
除外することが実行されたと仮定するか否かは、前記ＰＤＳＣＨをスケジュールするために使用されるダウンリンク制御情報（ＤＣＩ）のフォーマットに依存する、請求項１９に記載の方法。
【請求項２１】
除外することが実行されたと仮定するか否かは、前記ＰＤＳＣＨをスケジュールするためにＤＣＩフォーマット１Ａが使用されるか否かに依存する、請求項２０に記載の方法。
【請求項２２】
除外することが実行されたと仮定するか否かは、前記ＰＤＳＣＨが共通探索空間中で送られるか、ＵＥ固有探索空間中で送られるかに依存する、請求項２０に記載の方法。
【請求項２３】
前記除外することが実行されたか否かは、前記ＰＤＳＣＨがＵＥ固有探索空間と重複する共通探索空間中で送られるかどうかに依存する、請求項２０に記載の方法。
【請求項２４】
基地局が、前記基地局がサブフレーム中に特殊目的のために予約されるリソースの構成をサポートするユーザ機器（ＵＥ）の能力に関する確実性を欠くあいまいさ期間を判断するための手段と、
前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外するための手段と
を備える、ワイヤレス通信のための装置。
【請求項２５】
前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、請求項２４に記載の装置。
【請求項２６】
前記構成が、チャネルフィードバックについての測定を行うために使用される基準信号のために予約されるリソース要素を識別する、請求項２４に記載の装置。
【請求項２７】
前記構成が、ＰＤＳＣＨミューティング演算のために予約されるリソース要素を識別する、請求項２４に記載の装置。
【請求項２８】
前記あいまいさ期間が、特殊目的のために使用されるべき前記サブフレームのリソースの再構成に続く、請求項２４に記載の装置。
【請求項２９】
除外するための前記手段は、前記あいまいさ期間中に１つまたは複数の条件が満たされた場合のみ除外するための手段を備える、請求項２８に記載の装置。
【請求項３０】
前記１つまたは複数の条件が満たされたかどうかは、前記ＰＤＳＣＨをスケジュールするために使用されるダウンリンク制御情報（ＤＣＩ）のフォーマットに依存する、請求項２９に記載の装置。
【請求項３１】
ユーザ機器（ＵＥ）が、基地局がサブフレーム中に特殊目的のために予約されるリソースの構成をサポートする前記ＵＥの能力に関する確実性を欠くあいまいさ期間を判断するための手段と、
前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理するための手段と
を備える、ワイヤレス通信のための装置。
【請求項３２】
前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、請求項３１に記載の装置。
【請求項３３】
前記構成が、チャネルフィードバックについての測定を行うために使用される基準信号のために予約されるリソース要素を識別する、請求項３１に記載の装置。
【請求項３４】
前記構成が、ＰＤＳＣＨミューティング演算のために予約されるリソース要素を識別する、請求項３１に記載の装置。
【請求項３５】
前記あいまいさ期間が、特殊目的のために使用されるべき前記サブフレームのリソースの再構成に続く、請求項３１に記載の装置。
【請求項３６】
処理するための前記手段は、前記あいまいさ期間中に１つまたは複数の条件が満たされた場合のみ除外することを仮定するように構成された、請求項３５に記載の装置。
【請求項３７】
前記１つまたは複数の条件が満たされたかどうかは、前記ＰＤＳＣＨをスケジュールするために使用されるダウンリンク制御情報（ＤＣＩ）のフォーマットに依存する、請求項３６に記載の装置。
【請求項３８】
基地局が、前記基地局がサブフレーム中に特殊目的のために予約されるリソースの構成をサポートするユーザ機器（ＵＥ）の能力に関する確実性を欠くあいまいさ期間を判断することと、前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することとを行うように構成された少なくとも１つのプロセッサと、
前記少なくとも１つのプロセッサに結合されたメモリと
を備える、ワイヤレス通信のための装置。
【請求項３９】
ユーザ機器（ＵＥ）が、基地局がサブフレーム中に特殊目的のために予約されるリソースの構成をサポートする前記ＵＥの能力に関する確実性を欠くあいまいさ期間を判断することと、前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することとを行うように構成された少なくとも１つのプロセッサと、
前記少なくとも１つのプロセッサに結合されたメモリと
を備える、ワイヤレス通信のための装置。
【請求項４０】
基地局が、前記基地局がサブフレーム中に特殊目的のために予約されるリソースの構成をサポートするユーザ機器（ＵＥ）の能力に関する確実性を欠くあいまいさ期間を判断することと、
前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することと
を行うための、１つまたは複数のプロセッサによって実行可能な命令を記憶したコンピュータ可読記憶媒体。
【請求項４１】
ユーザ機器（ＵＥ）が、基地局がサブフレーム中に特殊目的のために予約されるリソースの構成をサポートする前記ＵＥの能力に関する確実性を欠くあいまいさ期間を判断することと、
前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することと
を行うための、１つまたは複数のプロセッサによって実行可能な命令を記憶したコンピュータ可読記憶媒体。
【発明の詳細な説明】
【技術分野】
【０００１】
米国特許法第１１９条に基づく優先権の主張
本特許出願は、両方とも本出願の譲受人に譲渡され、参照により本明細書に明確に組み込まれる、２０１０年１１月２日に出願された「INTERACTION OF PDSCH RESOURCE MAPPING AND CSI-RS IN LTE-A」と題する米国仮出願第６１／４０９，４８６号と、２０１０年１１月８日に出願された「INTERACTION OF PDSCH RESOURCE MAPPING AND CSI-RS IN LTE-A」と題する米国仮出願第６１／４１１，４２１号との優先権を主張する。
【０００２】
本開示は、一般に通信システムに関し、より詳細には、干渉セル物理ダウンリンク共有チャネル（ＰＤＳＣＨ：Physical Downlink Shared Channel）送信情報を収集するために干渉セル物理ダウンリンク制御チャネル（ＰＤＣＣＨ：Physical Downlink Control Channel）をブラインド復号するための技法に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために、様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
本開示のいくつかの態様は、ワイヤレス通信のための方法を提供する。本方法は、概して、基地局があいまいさ期間を判断することであって、基地局が、特殊目的のために予約されるリソースの構成をサポートするユーザ機器（ＵＥ：user equipment）の能力に関する確実性を欠く、判断することと、あいまいさ期間中にリソースブロック中でＵＥに物理ダウンリンク共有チャネル（ＰＤＳＣＨ）を送信するときにレートマッチングを実行するときに、特殊目的のために予約されるリソースを除外することとを含む。
【０００６】
本開示のいくつかの態様は、ワイヤレス通信のための方法を提供する。本方法は、概して、ユーザ機器（ＵＥ）があいまいさ期間を判断することであって、基地局が、サブフレーム中に特殊目的のために予約されるリソースの構成をサポートするＵＥの能力に関する確実性を欠く、判断することと、あいまいさ期間中にサブフレーム中でＵＥに物理ダウンリンク共有チャネル（ＰＤＳＣＨ）を送信するときにレートマッチングを実行するときに、基地局が特殊目的のために予約されるリソースを除外していると仮定してサブフレームを処理することとを含む。
【０００７】
本開示のいくつかの態様は、ワイヤレス通信のための装置を提供する。本装置は、概して、基地局があいまいさ期間を判断するための手段であって、基地局が、サブフレーム中に特殊目的のために予約されるリソースの構成をサポートするユーザ機器（ＵＥ）の能力に関する確実性を欠く、判断するための手段と、あいまいさ期間中にサブフレーム中でＵＥに物理ダウンリンク共有チャネル（ＰＤＳＣＨ）を送信するときにレートマッチングを実行するときに、特殊目的のために予約されるリソースを除外するための手段とを含む。
【０００８】
本開示のいくつかの態様は、ワイヤレス通信のための装置を提供する。本装置は、概して、ユーザ機器（ＵＥ）があいまいさ期間を判断するための手段であって、基地局が、サブフレーム中に特殊目的のために予約されるリソースの構成をサポートするＵＥの能力に関する確実性を欠く、判断するための手段と、あいまいさ期間中にサブフレーム中でＵＥに物理ダウンリンク共有チャネル（ＰＤＳＣＨ）を送信するときにレートマッチングを実行するときに、基地局が特殊目的のために予約されるリソースを除外していると仮定してサブフレームを処理するための手段とを含む。
【０００９】
本開示のいくつかの態様は、ワイヤレス通信のための装置を提供する。本装置は、概して、基地局があいまいさ期間を判断することであって、基地局が、サブフレーム中に特殊目的のために予約されるリソースの構成をサポートするユーザ機器（ＵＥ）の能力に関する確実性を欠く、判断することと、あいまいさ期間中にサブフレーム中でＵＥに物理ダウンリンク共有チャネル（ＰＤＳＣＨ）を送信するときにレートマッチングを実行するときに、特殊目的のために予約されるリソースを除外することとを行うように構成された少なくとも１つのプロセッサと、少なくとも１つのプロセッサに結合されたメモリとを含む。
【００１０】
本開示のいくつかの態様は、ワイヤレス通信のための装置を提供する。本装置は、概して、ユーザ機器（ＵＥ）があいまいさ期間を判断することであって、基地局が、サブフレーム中に特殊目的のために予約されるリソースの構成をサポートするＵＥの能力に関する確実性を欠く、判断することと、あいまいさ期間中にサブフレーム中でＵＥに物理ダウンリンク共有チャネル（ＰＤＳＣＨ）を送信するときにレートマッチングを実行するときに、基地局が特殊目的のために予約されるリソースを除外していると仮定してサブフレームを処理することとを行うように構成された少なくとも１つのプロセッサと、少なくとも１つのプロセッサに結合されたメモリとを含む。
【００１１】
本開示のいくつかの態様は、命令を記憶したコンピュータ可読媒体を備えるコンピュータプログラム製品を提供する。これらの命令は、概して、基地局があいまいさ期間を判断することであって、基地局が、サブフレーム中に特殊目的のために予約されるリソースの構成をサポートするユーザ機器（ＵＥ）の能力に関する確実性を欠く、判断することと、あいまいさ期間中にサブフレーム中でＵＥに物理ダウンリンク共有チャネル（ＰＤＳＣＨ）を送信するときにレートマッチングを実行するときに、特殊目的のために予約されるリソースを除外することとを行うために、１つまたは複数のプロセッサによって実行可能である。
【００１２】
本開示のいくつかの態様は、命令を記憶したコンピュータ可読媒体を備えるコンピュータプログラム製品を提供する。これらの命令は、概して、ユーザ機器（ＵＥ）があいまいさ期間を判断することであって、基地局が、サブフレーム中に特殊目的のために予約されるリソースの構成をサポートするＵＥの能力に関する確実性を欠く、判断することと、あいまいさ期間中にサブフレーム中でＵＥに物理ダウンリンク共有チャネル（ＰＤＳＣＨ）を送信するときにレートマッチングを実行するときに、基地局が特殊目的のために予約されるリソースを除外していると仮定してサブフレームを処理することとを行うために、１つまたは複数のプロセッサによって実行可能である。
【図面の簡単な説明】
【００１３】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】本開示のいくつかの態様による、リソースマッピングの一例を示す図。
【図８】本開示のいくつかの態様による、ＣＳＩ−ＲＳおよびミューティングを用いる例示的なリソースマップを示す図。
【図９】本開示のいくつかの態様による、例示的な動作を示す図。
【図１０】本開示のいくつかの態様による、データフローの一例を示す図。
【図１１】本開示のいくつかの態様による、処理システムを採用する装置のためのハードウェア実装形態の一例を示す図。
【発明を実施するための形態】
【００１４】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１６】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１８】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６はまた、基地局、送受信基地局、無線基地局、無線送受信機、送受信機機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２１】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２２】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２４】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２５】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。すなわち、ＵＥが受信するリソースブロックが多いほど、また変調方式が高いほど、ＵＥのデータレートは高くなる。
【００２７】
図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２８】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２９】
初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３０】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３１】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３２】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３３】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３４】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３５】
ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３６】
ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００３７】
コントローラ／プロセッサ６５９はＬ２レイヤを実装する。コントローラ／プロセッサは、プログラムコードとデータとを記憶するメモリ６６０に関連し得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号と、ヘッダの復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３８】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３９】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４０】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４１】
コントローラ／プロセッサ６７５はＬ２レイヤを実装する。コントローラ／プロセッサ６７５は、プログラムコードとデータとを記憶するメモリ６７６に関連し得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号（decipher）と、ヘッダ復元（decompression）と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４２】
本開示のいくつかの態様は、特殊目的のための予約されるリソースを処理するユーザ機器（ＵＥ）の能力に関する、基地局とＵＥとの間のあいまいさを解決するのに役立ち得る技法を提供する。このあいまいさの一例は、ＣＳＩ−ＲＳのために使用されるＲＥまたはＰＤＳＣＨミューティングが実行されるＲＥをもつサブフレームをＵＥが適切に処理することが可能であるか否かについて基地局が確かでないときである。
【００４３】
ＬＴＥ  Ｒｅｌ−８／９／１０では、ＰＤＳＣＨを介したデータ送信は、動的にスケジュールされるか、または半永続的にスケジュールされるかのいずれかであり得る。ＰＤＣＣＨは、ＰＤＳＣＨを動的にスケジュールするために、または半永続的ＰＤＳＣＨ送信を活動化／非活動化するために使用され得る。各ＵＥ１２０は、ダウンリンク（ＤＬ）送信（ＴＸ）モードで動作するように半静的に構成され得る。各ＤＬ  ＴＸモードの下では、ＵＥ１２０は、ＤＣＩが共通探索空間にあるのか、ＵＥ固有探索空間にあるのかに応じて、２つ以上のダウンリンク制御情報（ＤＣＩ：downlink control information）フォーマットから来る２つの別個のＤＣＩサイズを監視する必要があり得る。
【００４４】
たとえば、共通探索空間では、ＤＣＩフォーマット１Ａ／０／３／３Ａ（同じサイズを有する）および１Ｃが受信され得る。さらに、共通探索空間では、最高６つのＰＤＣＣＨ復号候補が処理される必要があり得る（アグリゲーションレベル４の場合は４つおよびアグリゲーションレベル８の場合は２つ）。概して、アグリゲーションレベルＮはＮ個の制御チャネル要素（ＣＣＥ：control channel element）を有し、各ＣＣＥが３６個のリソース要素（ＲＥ：resource element）を有し、各ＲＥが１つの周波数時間単位である。
【００４５】
ＵＥ固有探索空間では、ＤＣＩフォーマット１Ａ／０（同じサイズを有する）および別のＤＬ  ＴＸモード依存フォーマット（たとえば、１、１Ｂ、１Ｄ、２Ａ、２Ｂ、２Ｃなど）が受信され得る。ＵＥ固有探索空間では、最高１６個のＰＤＣＣＨ復号候補が処理される必要があり得る（アグリゲーションレベル１の場合は６つ、アグリゲーションレベル２の場合は６つ、アグリゲーションレベル４の場合は２つ、およびアグリゲーションレベル８の場合は２つ）。
【００４６】
ブロードキャスト送信（たとえば、システム情報、ページング、ＲＡＣＨ応答、グループ電力制御など）は、共通探索空間においてＰＤＣＣＨを常に利用し得る。ＵＥ固有送信は、（たとえば、ＤＣＩフォーマット１Ａ／０が使用される場合）ＵＥ固有探索空間および共通探索空間においてＰＤＣＣＨを利用し得る。
【００４７】
すべてのＤＬ送信モードにＤＣＩフォーマット１Ａがあることの１つの目的は、「フォールバック動作」と呼ばれるもののためである。本明細書で使用するフォールバック動作という用語は、概して、ワイヤレスネットワークの動作状態にかかわらず、ｅＮＢがＵＥと通信する方法を有する必要を指す。たとえば、ＵＥの能力および／または構成に関して、ｅＮＢとＵＥとが同期していないワイヤレスネットワークでは様々なあいまいさ期間が生じ得る。
【００４８】
一例として、あるＤＬ送信モードから別のモードへのＵＥのＲＲＣ（レイヤ３）再構成中に、所与のＵＥが依然として古いモードであるのか、または新しいモードに切り替わっているのかに関してｅＮＢが確かでないことがある期間が存在し得る。ｅＮＢがこの動作あいまいさ期間中にＵＥにＤＬデータを送信する必要がある場合、ＤＣＩフォーマット１Ａおよびそれの関連するＤＬ送信方式、たとえば、送信ダイバーシティが使用され得る。その結果、ｅＮＢとＵＥとの間の通信は中断なしに実行され得る。
【００４９】
動作あいまいさの別の例は、基準信号送信に割り振られたＲＥへのアンテナポートが変化し得るときに生じ得る。ある期間中にマッピングが変化するとき、ｅＮＢおよびＵＥによって理解される、ミュートされるＲＥの数は異なり得る。いくつかの設計では、動作あいまいさは約５〜１０個のサブフレーム（ミリ秒）の間に存在し得る。
【００５０】
モード依存ＤＣＩフォーマット（１、１Ｂ、１Ｄ、２、２Ａ、２Ｂ、２Ｃなど）は、しばしば、特定のＰＤＳＣＨ送信方式（たとえば、ＣＲＳベースの開ループ空間多重化、ＣＲＳベースの閉ループ空間多重化、ＤＭ−ＲＳベースの空間多重化、ランク１ビームフォーミングなど）に関連する。
【００５１】
例示的なＰＤＳＣＨリソースマッピング
Ｒｅｌ−８／９／１０では、図７の例示的なリソースマップ７００に示すように、ＰＤＳＣＨリソースマッピングは、従来、最初に周波数的に実行され、その後、時間的に実行される。リソースマップ７００は割り当てるＰＤＳＣＨリソースのシーケンスを示す。図示のリソースマップ７００において、領域７０２は制御メッセージに割り振られるリソース要素を表し、領域７０４はデータ送信に割り振られるリソース要素を表す。ＰＤＳＣＨには、最初に、同じタイムスロットにおいて最低周波数から最高周波数にリソースが割り当てられ（ライン７０６）、その後、次のタイムスロットにおいて最低利用可能周波数から始まり最高利用可能周波数にリソースがもう一度割り当てられる（ライン７０８）。
【００５２】
ＬＴＥ−Ａでは、構成されるサポートされるアンテナの数は、前のＬＴＥリリースと比較して、最高４×４から８×８に増加され、その増加は、８つのＴｘアンテナでのＲＳオーバーヘッドに関する課題を提示する。採用された解決策は、チャネルフィードバックのためのＲＳと復調のためのＲＳと、すなわち、チャネルフィードバックのためのＣＳＩ−ＲＳ（チャネル状態情報基準信号：Channel State Information Reference Signal）と復調のためのＤＭ−ＲＳとを分離することである。
【００５３】
ＣＳＩ−ＲＳはまた、ＣＲＳと同様に、同じセル中のＵＥによって共有される基準信号である。ＣＳＩ−ＲＳは、プリコードされず、周波数および時間的にスパース（sparse）であり、ＣＲＳアンテナポートに関係しない。ＣＳＩ−ＲＳは、ＣＳＩ−ＲＳ密度がＰＲＢ当たりのポート当たり１つのＲＥであり、ＣＳＩ−ＲＳポートの数の値が１、２、４および８であり、ＣＳＩ−ＲＳポートの数が２ビットでシグナリングされ、ＣＳＩ−ＲＳ構成がセル固有であり、上位レイヤを介して５ビットでシグナリングされ、ＣＳＩ−ＲＳが構成されない場合、ＣＳＩ−ＲＳがセル中に存在しないという特性を有する。
【００５４】
Ｒｅｌ−１０  ＵＥは、任意の送信モードにおけるすべてのユニキャストＰＤＳＣＨ送信について（たとえば、ＵＥ能力、すなわち、それのリリースがｅＮＢに知られた後）ＣＳＩ−ＲＳ  ＲＥの周りのＰＤＳＣＨレートマッチングを仮定し得る。
【００５５】
将来の互換性を得るために、特に、ＣｏＭＰ（多地点協調送信：cooperative multipoint transmission）動作について、ＬＴＥ  Ｒｅｌ−１０においてＰＤＳＣＨミューティングをサポートすることが合意された。ＰＤＳＣＨミューティング構成は、ＵＥ固有であり、上位レイヤを介してシグナリングされ得、ＣＳＩ−ＲＳと同じルールに従う帯域幅上で実行される。ミュートされたリソース要素のイントラサブフレームロケーションは１６ビットビットマップによって示され、各ビットが１つの４ポートＣＳＩ−ＲＳ構成に対応し、１に設定される４ポートＣＳＩ−ＲＳ構成中で使用されるすべてのＲＥが、ＣＳＩ−ＲＳ  ＲＥがこのＣＳＩ−ＲＳ構成に属する場合はそれらを除いて、ミュートされ（ＵＥにおいて０電力が仮定され）、このシグナリングがＦＤＤおよびＴＤＤ  ＣＳＩ−ＲＳ構成の間で共通である。
【００５６】
ＰＤＳＣＨ  ＲＥのミューティングが構成されるとき、Ｒｅｌ−１０  ＵＥは、任意の送信モードにおけるすべてのユニキャストＰＤＳＣＨ送信について（ＵＥ能力、すなわち、それのリリースがｅＮＢ１１０に知られた後）ミュートされたＲＥの周りのＰＤＳＣＨレートマッチングを仮定し得る。ただし、「レガシー」ＵＥ（たとえば、Ｒｅｌ−９以前）は、ミューティングおよび／またはＣＳＩ−ＲＳをサポートしないことがある。したがって、あいまいさ期間は、基地局が、ＵＥがサポートする規格のリリースバージョンに関する情報を欠くときに存在し得る。
【００５７】
ＣＳＩ−ＲＳのサブフレームオフセットおよびデューティサイクルの場合と同じ符号化を使用して、サブフレームオフセットおよびデューティサイクルの単一の値が、すべてのミュートされたリソース要素についてシグナリングされ得る。いくつかの設計では、ミュートされたＲＥは、ＣＳＩ−ＲＳのないサブフレーム中にないことがある。他の設計では、ミュートされたＲＥがＣＳＩ−ＲＳのないサブフレーム中にあり得、この場合、ＣＳＩ−ＲＳデューティサイクルはミュートされたＲＥデューティサイクルの整数倍である。
【００５８】
ＰＤＳＣＨリソースマッピング、ＣＳＩ−ＲＳ、およびミューティングの例示的な対話
図８に、ＰＤＳＣＨミューティングが構成されるときにＲＢ内で可能なレートマッチングシナリオを示す例示的なリソースマップ８００を示す。ＵＥは、チャネルフィードバックの測定を行うために使用される基準信号（たとえば、ＣＳＩ−ＲＳ）および／またはＰＤＳＣＨミューティングなどの特殊目的のために予約されるリソース要素（ＲＥ）を識別する構成がシグナリングされ得る。
【００５９】
図８に示す例では、所与のセルは特殊目的のために予約される８つのＲＥを有する。特に、マップ８００は、ＰＤＳＣＨのために利用可能でない４つのＲＥ（「Ｃ」と標示される）と、同じくＰＤＳＣＨのために利用可能でないことがある４つの追加のＲＥ（「Ｍ」で示される）とを占有する４つのＣＳＩ−ＲＳポートを有する。これらの４つのさらにミュートされたＲＥは、隣接セルのＣＳＩ−ＲＳ  ＲＥの保護を与え得、したがって、ＤＬ  ＣｏＭＰ動作を可能にし得る。
【００６０】
ＰＤＳＣＨ  ＲＥマッピングを実行するとき、ＣＳＩ−ＲＳおよびミューティングのために使用されるこれらの８つのＲＥがマッピングされない（すなわち、レートマッチングがこれらの８つのＲＥの周りで実行され得る）ことが望ましいことがある。ただし、レガシーＵＥ（ＣＳＩ−ＲＳまたはミューティングを処理することができないＵＥを意味する）の場合、またはそのようなミューティング演算に気づいていないＵＥの場合、これらの４つのミューティングＲＥはＰＤＳＣＨ  ＲＥマッピング演算の一部でなければならない。
【００６１】
しかしながら、これは、たとえば、ＵＥがネットワークにアクセスしようと試みている間にｅＮＢとメッセージを交換しているときに潜在的なあいまいさ期間を提示する。いくつかの設計では、ＵＥがそれのリリース情報をｅＮＢに搬送する前に送られるユニキャストＰＤＳＣＨ送信は、ＰＤＳＣＨミューティング演算のためにｅＮＢによってシグナリングされるＲＥを除外しないことがある。たとえば、メッセージ４（Ｍｓｇ４）は、例示的なメッセージであり、より一般に、ｅＮＢからＵＥへの競合解消メッセージと呼ばれる。
【００６２】
ＵＥが物理ランダムアクセスチャネル（ＰＲＡＣＨ：physical random access channel）を使用してＬＴＥ  ｅＮＢにアクセスしようと試みるとき、一般に、ｅＮＢとＵＥとの間で交換される４つのメッセージがある。メッセージ４は、ｅＮＢからＵＥに送られる、アクセス手順中の最後のメッセージである。ｅＮＢ１１０は、メッセージ４においてＵＥ１２０のリリース（たとえば、Ｒｅｌ−８またはＲｅｌ−１０）を知ることが予想されないので、いくつかの設計では、ｅＮＢがＰＤＳＣＨミューティング演算のサポートをブロードキャストする場合でも、メッセージ４についてＰＤＳＣＨミューティング演算が実行されないことがある。場合によっては、メッセージ４がＵＥによって正しく受信されないことがある。
【００６３】
したがって、本開示のいくつかの態様によれば、ＰＤＳＣＨミューティング演算がメッセージ４に対して実行されないことがある。すなわち、メッセージ４についてのＰＤＳＣＨレートマッチングは、ＰＤＳＣＨミューティング演算のためにｅＮＢによってシグナリングされるＲＥを除外しないことがある。ｅＮＢは、ＰＤＳＣＨミューティング演算のためにシグナリングされるこれらのＲＥをミュートすること、またはミュートしないことを選択し得るが、メッセージ４に対するＰＤＳＣＨレートマッチングはこれらのＲＥを常に含み得ることに留意されたい。
【００６４】
このあいまいさ期間は、接続モードにあるＵＥに存在しないことがある。たとえば、接続モードにあるＵＥの場合、ＵＥにおいてＲＡＣＨプロシージャをトリガするダウンリンクデータ到着がある。そのような場合、ＵＥは、それのＭＡＣ−ＩＤをメッセージ３（Ｍｓｇ３）中に含める。この場合、ｅＮＢは、ＰＤＳＣＨをＵＥに送るときにｅＮＢがそれらのミューティングトーンの周りでレートマッチングを実行すべきか否かを判断することができるように、このＵＥのリリース情報を識別するためにＭＡＣ−ＩＤ情報を使用する。
【００６５】
ＵＥは、ユニキャストＰＤＳＣＨを復号しようと試みるとき、一般に、ＰＤＳＣＨがミューティングトーンの周りにレートマッチングを有すると仮定すべきか否かを判断するために、それのリリース情報（ｒｅｌ−１０  ＵＥ対ｒｅｌ−８／９  ＵＥ）とｅＮＢリリース情報とに依拠することに留意されたい。ｅＮＢリリース情報は、ｅＮＢによって送られるシステム情報においてミューティングがサポートされるか否かによって示される。
【００６６】
ハンドオーバ中に、ターゲットｅＮＢは、ソースｅＮＢにそのような情報を搬送し得、次に、ソースｅＮＢは、ハンドオーバメッセージ中でＵＥにそのような情報を搬送し得る。
【００６７】
あいまいさ期間はまた、ＣＳＩ−ＲＳポートの再構成および／またはＰＤＳＣＨミューティング演算の再構成があるときに生じ得る。この場合、使用中の実際のＣＳＩ−ＲＳポートおよび／またはＰＤＳＣＨミューティング演算に関して、セル中のｅＮＢとＵＥとが整合されないことがある一定のあいまいさ持続時間が存在し得る。
【００６８】
このあいまいさ期間中に、ＵＥが異なる仮定に従ってブラインド検出を実行し得る可能性がある。たとえば、（再構成の前に）ＰＤＳＣＨレートマッチングが前の構成に基づいて実行されると仮定され得る。代替として、ＰＤＳＣＨレートマッチングは新しい構成に基づき得る。しかしながら、場合によっては、関連する処理オーバーヘッドのために、そのようなブラインド検出が最適ではないことがある。
【００６９】
場合によっては、ｅＮＢは、ＣＳＩ−ＲＳおよびＰＤＳＣＨミューティングのないサブフレーム中でのみあいまいさ期間中にＵＥに送信することを選択し得る。ただし、そのような制限は、特に、いくつかのＵＥがサブフレームの限定されたセットしか監視しないことがある異種ネットワークにおいて厳しくなり得る。さらに、ＣＳＩ−ＲＳ／ミューティング構成がブロードキャストされ得るので、多数のＵＥが同時に影響を及ぼされ得る。
【００７０】
本開示のいくつかの態様は、ＣＳＩ−ＲＳおよび／またはＰＤＳＣＨミューティング演算の構成にかかわらず、ｅＮＢとＵＥとの間の非中断リンクを維持するのに役立ち得る。
【００７１】
図９に、あいまいさ期間中であってもｅＮＢとＵＥとの間の非中断リンクを維持するのに役立てるためにｅＮＢが実行し得る例示的な動作９００を示す。図示のように、９０２において、ｅＮＢが、基地局が特殊目的のために予約されるリソースの構成をサポートするユーザ機器（ＵＥ）の能力に関する確実性を欠くあいまいさ期間を判断するとき、９０４において、ｅＮＢは、あいまいさ期間中にリソースブロック中でＵＥに物理ダウンリンク共有チャネル（ＰＤＳＣＨ）を送信するときにレートマッチングを実行するときに、特殊目的のために予約されるリソースを除外する。
【００７２】
いくつかの態様によれば、「非レガシー」ＵＥは、図９に示す動作を補足する動作を実行し得る。たとえば、基地局がサブフレーム中に特殊目的のために予約されるリソースの構成をサポートするＵＥの能力に関する確実性を欠くあいまいさ期間中に、ＵＥは、物理ダウンリンク共有チャネル（ＰＤＳＣＨ）を送信するときにレートマッチングを実行するときに、基地局が特殊目的のために予約されるリソースを除外していると仮定してサブフレームを処理し得る。
【００７３】
いくつかのシナリオでは、特殊目的のために使用されるＲＥがレートマッチングから除外されるか否かは、あいまいさ期間中に１つまたは複数の特定の条件が満たされるかどうかに依存し得る。たとえば、場合によっては、ＰＤＳＣＨ送信では、ＰＤＳＣＨ送信をスケジュールするためにＤＣＩフォーマット１Ａが使用されるとき、対応するＰＤＳＣＨレートマッチングは、特殊目的のために予約されるＲＥ（たとえば、ＣＳＩ−ＲＳのために予約されるＲＥおよび／またはミューティングのために予約されるＲＥ）を除外しないことがある。
【００７４】
これは、ＵＥがあるダウンリンク送信モードで構成される場合、ＤＣＩフォーマット１Ａを介してスケジュールされた送信のためのＰＤＳＣＨレートマッチング動作とモード依存ＤＣＩフォーマット（１、１Ｂ、１Ｄ、２、２Ａ、２Ｂ、２Ｃなど）を介してスケジュールされた送信のためのＰＤＳＣＨレートマッチング動作とが別様に実行され得ることを暗示し得る。
【００７５】
たとえば、ＤＣＩフォーマット１Ａでは、ＰＤＳＣＨレートマッチングは、ＣＳＩ−ＲＳ  ＲＥおよび／またはシグナリングされたミュートされたＲＥを除外しないことがある。場合によっては、ＰＤＳＣＨレートマッチングは、ＣＳＩ−ＲＳ  ＲＥおよび／またはシグナリングされたミュートされたＲＥを除外し得る。
【００７６】
フォールバック動作が頻繁に行われることが予想され得るので、上記で説明したルールは追加の条件を導入することによって改良され得る。たとえば、場合によっては、特殊目的のために使用されるＲＥがレートマッチングから除外されるかどうかはＤＣＩフォーマットに依存し得る。
【００７７】
一例として、共通探索空間におけるＤＣＩフォーマット１Ａの場合、ＰＤＳＣＨレートマッチングは、ＣＳＩ−ＲＳ  ＲＥおよび／またはシグナリングされたミュートされたＲＥを無視し得ない。一方、ＵＥ固有探索空間におけるメッセージフォーマット１Ａの場合、ＰＤＳＣＨレートマッチングは、ＣＳＩ−ＲＳ  ＲＥおよび／またはシグナリングされたミュートされたＲＥを除外し得る。
【００７８】
モード依存ＤＣＩフォーマットの場合、ＰＤＳＣＨレートマッチングは、ＣＳＩ−ＲＳ  ＲＥおよび／またはシグナリングされたミュートされたＲＥを除外し得る。
【００７９】
探索空間特性に基づいてさらなる改良も必要であり得る。たとえば、場合によっては、そのような改良は、共通探索空間がＵＥ固有探索空間と重複するときに必要になることがある（または少なくとも望ましいことがある）。これは、特に、制御領域が比較的小さいときに真であり、別のあいまいさ期間を生じ得る。
【００８０】
たとえば、ＵＥが、重複する探索空間からのＰＤＣＣＨ復号候補を使用してＰＤＣＣＨフォーマット１Ａを用いるユニキャストＰＤＳＣＨを受信した場合、ＵＥは、ＰＤＳＣＨが共通探索空間からスケジュールされたのか、ＵＥ固有探索空間からスケジュールされたのかに関する明快さを欠くことがあり、したがって、ＣＳＩ−ＲＥおよび／またはシグナリングされたミュートされたＲＥを除外することによってレートマッチングを適用すべきか否かに関する明快さを欠くことがある。
【００８１】
このあいまいさを解決するための１つの可能な手法は、共通探索空間からの送信のみを許可すること、またはＵＥ固有探索空間からの送信のみを許可することであろう。
【００８２】
場合によっては、共通探索空間からの送信を許可することが好ましいことがある。そうすることによって、ＵＥが重複探索空間を使用してＰＤＣＣＨフォーマット１Ａを用いるユニキャストＰＤＳＣＨを受信するときはいつでも、ＵＥは、それが共通探索空間から来たと仮定し得、ＣＳＩ−ＲＥおよび／またはシグナリングされたミュートされたＲＥはＰＤＳＣＨレートマッチングから除外されないことがある。ｅＮＢ側から、ｅＮＢは、そのような状態の下で同じ動作を保証するための手段を講じ得る。
【００８３】
本開示は、ＰＤＳＣＨリソースマッピングに関するＣＳＩ−ＲＳおよびＰＤＳＣＨミューティング演算の対話に生じ得る問題に対処する。特に、再構成中のメッセージ４（ＭＳＧ４）送信およびフォールバック動作に関していくつかの問題が生じ得、本開示のいくつかの態様はそのような問題を解決するのに役立ち得る。
【００８４】
本開示のいくつかの態様は、あいまいさ状態を検出し、あいまいさ状態が検出されたときに動作するための技法を提供することを諒解されよう。いくつかの設計では、ＣＳＩ−ＲＳは、ＵＥのバージョン番号の知識に基づいて、レートマッチング動作中に選択的に除外される。
【００８５】
また、フォールバック動作が開示されることを諒解されよう。フォールバック動作を使用して、ｅＮＢは、ＵＥのバージョン番号にかかわらず、所定のメッセージフォーマットを使用して通信することによってＵＥとの通信を維持することが可能になる。いくつかの設計では、パンクチャされるＲＥの周りのレートマッチングを実行することなしにＲＥのパンクチャリングのみが実行される。
【００８６】
また、本明細書で提示する技法は、ＲＥマッピングへのアンテナポートの変化（たとえば、アンテナポート番号が変化する）のためにＣＳＩ−ＲＳに割り振られるＲＥが変化するとき、ワイヤレスネットワークの動作中に特に有用であり得ることを諒解されよう。この時間中に、（たとえば、隣接セルのＣＳＩ−ＲＳ送信に対する干渉を回避するために）いくつのＲＥをミュートすべきかに関するあいまいさが存在し得る。
【００８７】
場合によっては、ｅＮＢは、レートマッチングを実行するときにリソース要素を除外するにもかかわらずＰＤＳＣＨミューティング演算のために予約されるこれらのリソース要素に対してミューティングを実行し得る。
【００８８】
図１０は、本明細書で説明する（および図９に示す）動作を実行することが可能な例示的な装置１０１０中の様々なモジュール／手段／構成要素間のデータフローを示す概念データフロー図１０００である。装置１０１０は、基地局があいまいさ期間を判断するためのモジュール１００２であって、基地局が、特殊目的のために予約されるリソースの構成をサポートするユーザ機器（ＵＥ）の能力に関する確実性を欠く、判断するためのモジュール１００２と、あいまいさ期間中にリソースブロック中でＵＥに物理ダウンリンク共有チャネル（ＰＤＳＣＨ）を送信するときにレートマッチングを実行するときに、特殊目的のために予約されるリソースを除外するためのモジュール１００４とを含む。装置１０１０はまた、送信モジュール１００８と受信モジュール１００６とを含み得る。
【００８９】
それらのモジュールは、述べたプロセス／アルゴリズムを行うように特に構成された１つまたは複数のハードウェア構成要素であるか、述べたプロセス／アルゴリズムを実行するように構成されたプロセッサによって実装されるか、プロセッサによる実装のためにコンピュータ可読媒体内に記憶されるか、またはそれらの何らかの組合せであり得る。
【００９０】
図１１は、処理システム１１１４を採用する装置１１１０のためのハードウェア実装形態の一例を示す図である。処理システム１１１４は、バス１１０６によって概略的に表されるバスアーキテクチャを用いて実装され得る。バス１１０６は、処理システム１１１４の特定の適用例および全体的な設計制約に応じて、任意の数の相互接続バスおよびブリッジを含み得る。バス１１０６は、プロセッサ１１２０によって表される１つまたは複数のプロセッサおよび／またはハードウェアモジュールと、モジュール１１０２、１１０４と、コンピュータ可読媒体１１２２とを含む様々な回路を互いにリンクする。バス１１０６はまた、タイミングソース、周辺機器、電圧調整器、および電力管理回路など、様々な他の回路をリンクし得るが、これらの回路は当技術分野においてよく知られており、したがって、これ以上説明しない。
【００９１】
処理システム１１１４はトランシーバ１１３０に結合される。トランシーバ１１３０は、１つまたは複数のアンテナ１１３２に結合される。トランシーバ１１３０は、伝送媒体上で様々な他の装置と通信するための手段を与える。処理システム１１１４は、コンピュータ可読媒体１１２２に結合されたプロセッサ１１２０を含む。プロセッサ１１２０はまた、コンピュータ可読媒体１１２２に記憶されたソフトウェアの実行を含む一般的な処理を担当し得る。ソフトウェア（たとえば、命令）は、プロセッサ１１２０によって実行されたとき、処理システム１１１４に、特定の装置のための上記で説明した様々な機能を実行させる。コンピュータ可読媒体１１２２はまた、ソフトウェアを実行するときにプロセッサ１１２０によって操作されるデータを記憶するために使用され得る。処理システムは、モジュール１１０２および１１０４をさらに含む。それらのモジュールは、プロセッサ１１２０中で動作するか、コンピュータ可読媒体１１２２中に常駐する／記憶されたソフトウェアモジュールであるか、プロセッサ１１２０に結合された１つまたは複数のハードウェアモジュールであるか、またはそれらの何らかの組合せであり得る。処理システム１１１４は、ＵＥ６５０の構成要素であり得、図６に示すメモリ６６０および／またはＴＸプロセッサ６６８と、ＲＸプロセッサ６５６と、コントローラ／プロセッサ６５９とのうちの少なくとも１つを含み得る。
【００９２】
一構成では、ワイヤレス通信のための装置は、図９に示す動作の各々を実行するための手段を含む。上述の手段は、上述の手段によって具陳される機能を実行するように構成された、装置１０１０の上述のモジュールおよび／または装置１１１０の処理システム１１１４のうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００９３】
開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９４】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、言語的主張に矛盾しない最大限の範囲を与えられるべきであり、単数形の要素への言及は、明確にそう明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下、本願の出願当初の特許請求の範囲に記載の発明を付記する。  
［Ｃ１］  基地局があいまいさ期間を判断することであって、前記基地局が、サブフレーム中に特殊目的のために予約されるリソースの構成をサポートするユーザ機器（ＵＥ）の能力に関する確実性を欠く、判断することと、
前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することと
を備える、ワイヤレス通信方法。
［Ｃ２］  前記除外することが、特殊目的のために予約されるリソースの前記構成をシグナリングした後に実行される。［Ｃ１］に記載の方法。
［Ｃ３］  前記あいまいさ期間は、前記基地局が、前記ＵＥがサポートする規格のリリースバージョンに関する情報を欠く期間を備える、［Ｃ１］に記載の方法。
［Ｃ４］  前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、［Ｃ３］に記載の方法。
［Ｃ５］  前記構成が、チャネルフィードバックについての測定を行うために使用される基準信号のために予約されるリソース要素を識別する、［Ｃ１］に記載の方法。
［Ｃ６］  前記構成が、ＰＤＳＣＨミューティング演算のために予約されるリソース要素を識別する、［Ｃ１］に記載の方法。
［Ｃ７］  レートマッチングを実行するときに前記リソース要素を除外するにもかかわらずＰＤＳＣＨミューティング演算のために予約される前記リソース要素上でミューティングを実行すること
をさらに備える、［Ｃ６］に記載の方法。
［Ｃ８］  前記あいまいさ期間が、特殊目的のために使用されるべき前記サブフレームのリソースの再構成に続く、［Ｃ１］に記載の方法。
［Ｃ９］  前記除外することは、前記あいまいさ期間中に１つまたは複数の条件が満たされた場合のみ除外することを備える、［Ｃ８］に記載の方法。
［Ｃ１０］  前記１つまたは複数の条件が満たされたかどうかは、前記ＰＤＳＣＨをスケジュールするために使用されるダウンリンク制御情報（ＤＣＩ）のフォーマットに依存する、［Ｃ９］に記載の方法。
［Ｃ１１］  前記１つまたは複数の条件が満たされたかどうかは、前記ＰＤＳＣＨをスケジュールするためにＤＣＩフォーマット１Ａが使用されるか否かに依存する、［Ｃ１０］に記載の方法。
［Ｃ１２］  前記１つまたは複数の条件が満たされたかどうかは、前記ＰＤＳＣＨが共通探索空間中で送られるか、ＵＥ固有探索空間中で送られるかに依存する、［Ｃ１１］に記載の方法。
［Ｃ１３］  前記１つまたは複数の条件が満たされたかどうかは、前記ＰＤＳＣＨがＵＥ固有探索空間と重複する共通探索空間中で送られるかどうかに依存する、［Ｃ１１］に記載の方法。
［Ｃ１４］  ユーザ機器（ＵＥ）があいまいさ期間を判断することであって、基地局が、サブフレーム中に特殊目的のために予約されるリソースの構成をサポートする前記ＵＥの能力に関する確実性を欠く、判断することと、
前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することと
を備える、ワイヤレス通信方法。
［Ｃ１５］  前記あいまいさ期間は、前記基地局が、前記ＵＥがサポートする規格のリリースバージョンに関する情報を欠く期間を備える、［Ｃ１４］に記載の方法。
［Ｃ１６］  前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、［Ｃ１５］に記載の方法。
［Ｃ１７］  前記構成が、チャネルフィードバックについての測定を行うために使用される基準信号のために予約されるリソース要素を識別する、［Ｃ１４］に記載の方法。
［Ｃ１８］  前記構成が、ＰＤＳＣＨミューティング演算のために予約されるリソース要素を識別する、［Ｃ１４］に記載の方法。
［Ｃ１９］  前記あいまいさ期間が、特殊目的のために使用されるべき前記サブフレームのリソースの再構成に続く、［Ｃ１４］に記載の方法。
［Ｃ２０］  除外することが実行されたと仮定するか否かは、前記ＰＤＳＣＨをスケジュールするために使用されるダウンリンク制御情報（ＤＣＩ）のフォーマットに依存する、［Ｃ１９］に記載の方法。
［Ｃ２１］  除外することが実行されたと仮定するか否かは、前記ＰＤＳＣＨをスケジュールするためにＤＣＩフォーマット１Ａが使用されるか否かに依存する、［Ｃ２０］に記載の方法。
［Ｃ２２］  除外することが実行されたと仮定するか否かは、前記ＰＤＳＣＨが共通探索空間中で送られるか、ＵＥ固有探索空間中で送られるかに依存する、［Ｃ２０］に記載の方法。
［Ｃ２３］  前記除外することが実行されたか否かは、前記ＰＤＳＣＨがＵＥ固有探索空間と重複する共通探索空間中で送られるかどうかに依存する、［Ｃ２０］に記載の方法。
［Ｃ２４］  基地局があいまいさ期間を判断するための手段であって、前記基地局が、サブフレーム中に特殊目的のために予約されるリソースの構成をサポートするユーザ機器（ＵＥ）の能力に関する確実性を欠く、判断するための手段と、
前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外するための手段と
を備える、ワイヤレス通信のための装置。
［Ｃ２５］  前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、［Ｃ２４］に記載の装置。
［Ｃ２６］  前記構成が、チャネルフィードバックについての測定を行うために使用される基準信号のために予約されるリソース要素を識別する、［Ｃ２４］に記載の装置。
［Ｃ２７］  前記構成が、ＰＤＳＣＨミューティング演算のために予約されるリソース要素を識別する、［Ｃ２４］に記載の装置。
［Ｃ２８］  前記あいまいさ期間が、特殊目的のために使用されるべき前記サブフレームのリソースの再構成に続く、［Ｃ２４］に記載の装置。
［Ｃ２９］  除外するための前記手段は、前記あいまいさ期間中に１つまたは複数の条件が満たされた場合のみ除外するための手段を備える、［Ｃ２８］に記載の装置。
［Ｃ３０］  前記１つまたは複数の条件が満たされたかどうかは、前記ＰＤＳＣＨをスケジュールするために使用されるダウンリンク制御情報（ＤＣＩ）のフォーマットに依存する、［Ｃ２９］に記載の装置。
［Ｃ３１］  ユーザ機器（ＵＥ）があいまいさ期間を判断するための手段であって、基地局が、サブフレーム中に特殊目的のために予約されるリソースの構成をサポートする前記ＵＥの能力に関する確実性を欠く、判断するための手段と、
前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理するための手段と
を備える、ワイヤレス通信のための装置。
［Ｃ３２］  前記あいまいさ期間は、前記ＵＥが前記基地局にアクセスしようと試みているが、前記ＵＥがサポートする規格のリリースバージョンに関するメッセージ情報を前記ＵＥが送信する前の期間を備える、［Ｃ３１］に記載の装置。
［Ｃ３３］  前記構成が、チャネルフィードバックについての測定を行うために使用される基準信号のために予約されるリソース要素を識別する、［Ｃ３１］に記載の装置。
［Ｃ３４］  前記構成が、ＰＤＳＣＨミューティング演算のために予約されるリソース要素を識別する、［Ｃ３１］に記載の装置。
［Ｃ３５］  前記あいまいさ期間が、特殊目的のために使用されるべき前記サブフレームのリソースの再構成に続く、［Ｃ３１］に記載の装置。
［Ｃ３６］  処理するための前記手段は、前記あいまいさ期間中に１つまたは複数の条件が満たされた場合のみ除外することを仮定するように構成された、［Ｃ３５］に記載の装置。
［Ｃ３７］  前記１つまたは複数の条件が満たされたかどうかは、前記ＰＤＳＣＨをスケジュールするために使用されるダウンリンク制御情報（ＤＣＩ）のフォーマットに依存する、［Ｃ３６］に記載の装置。
［Ｃ３８］  基地局があいまいさ期間を判断することであって、前記基地局が、サブフレーム中に特殊目的のために予約されるリソースの構成をサポートするユーザ機器（ＵＥ）の能力に関する確実性を欠く、判断することと、前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することとを行うように構成された少なくとも１つのプロセッサと、
前記少なくとも１つのプロセッサに結合されたメモリと
を備える、ワイヤレス通信のための装置。
［Ｃ３９］  ユーザ機器（ＵＥ）があいまいさ期間を判断することであって、基地局が、サブフレーム中に特殊目的のために予約されるリソースの構成をサポートする前記ＵＥの能力に関する確実性を欠く、判断することと、前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することとを行うように構成された少なくとも１つのプロセッサと、
前記少なくとも１つのプロセッサに結合されたメモリと
を備える、ワイヤレス通信のための装置。
［Ｃ４０］  基地局があいまいさ期間を判断することであって、前記基地局が、サブフレーム中に特殊目的のために予約されるリソースの構成をサポートするユーザ機器（ＵＥ）の能力に関する確実性を欠く、判断することと、
前記あいまいさ期間中に前記サブフレーム中で前記ＵＥに物理ダウンリンク共有チャネル（ＰＤＳＣＨ）を送信するときにレートマッチングを実行するときに、特殊目的のために予約される前記リソースを除外することと
を行うための、１つまたは複数のプロセッサによって実行可能な命令を記憶したコンピュータ可読媒体を備えるコンピュータプログラム製品。
［Ｃ４１］  ユーザ機器（ＵＥ）があいまいさ期間を判断することであって、基地局が、サブフレーム中に特殊目的のために予約されるリソースの構成をサポートする前記ＵＥの能力に関する確実性を欠く、判断することと、
前記あいまいさ期間中に前記サブフレーム中で前記ＵＥに物理ダウンリンク共有チャネル（ＰＤＳＣＨ）を送信するときにレートマッチングを実行するときに、前記基地局が特殊目的のために予約される前記リソースを除外していると仮定して前記サブフレームを処理することと
を行うための、１つまたは複数のプロセッサによって実行可能な命令を記憶したコンピュータ可読媒体を備えるコンピュータプログラム製品。
【図１】
0005628440.tif 000002
【図２】
0005628440.tif 000003
【図３】
0005628440.tif 000004
【図４】
0005628440.tif 000005
【図５】
0005628440.tif 000006
【図６】
0005628440.tif 000007
【図７】
0005628440.tif 000008
【図８】
0005628440.tif 000009
【図９】
0005628440.tif 000010
【図１０】
0005628440.tif 000011
【図１１】
0005628440.tif 000012